(57)【要約】【課題】上下に重ね合わせた複数の羽根が互いに干渉して動作不能に陥ったり、開閉時に動作音が騒音として発生したりすることがなく、開閉時の摩擦負荷も小さい光量調整装置を提供する。【解決手段】撮影光若しくは投影光の光路開口を有する基盤と基端部を上記基盤に軸受け支持され先端部を上記光路開口に臨ませた第１、第２少なくとも２枚の羽根部材と上記羽根部材を開閉駆動する駆動手段とを設ける。このような光量調整装置の構成において、基盤に羽根部材を軸受け支持するに際し、上記基盤に基盤表面からボス状に突出する第１の突起部と上記羽根部材に羽根表面からボス状に突出する第２の突起部をそれぞれに設ける。そしてこの第１及び第２の突起部を互いに接合して上記羽根部材の光軸方向高さ位置を規定する。同時に第１及び第２の突起部の一方にピン状軸部材を他方にこの軸部材を嵌合支持する軸受孔を形成し、基盤上に羽根部材を開閉自在に軸受け支持する。【選択図】図１
2006337947.tif 000002
【特許請求の範囲】
【請求項１】
撮影光若しくは投影光の光路開口を有する基盤と、基端部を上記基盤に軸受け支持され先端部を上記光路開口に臨ませた第１、第２少なくとも２枚の羽根部材と、上記羽根部材を開閉駆動する駆動手段とを備えた光量調整装置であって、
上記基盤に上記羽根部材を軸受け支持するに際し、上記基盤に基盤表面からボス状に突出する第１の突起部と、上記羽根部材に羽根表面からボス状に突出する第２の突起部をそれぞれに設け、この第１及び第２の突起部を互いに接合して上記羽根部材の光軸方向高さ位置を規定すると共に、上記第１及び第２の突起部の一方にピン状軸部材を、他方にこの軸部材を嵌合支持する軸受孔を形成し、
上記第１の羽根部材の高さ位置を規定する上記第１及び第２の突起部の高さ位置と、上記第２の羽根部材の高さ位置を規定する上記第１及び第２の突起部の高さ位置を高低異ならせたことを特徴とする光量調整装置。
【請求項２】
前記第１、第２の羽根部材は、光路開口に臨む先端部が光軸方向に上下重なり合うように前記基盤に配置され、前記各羽根部材の高さ位置を規定する前記第１及び第２の突起部の光軸方向高さは羽根部材の厚さと略々一致する高低差を有することを特徴とする請求項１に記載の光量調整装置。
【請求項３】
前記複数の羽根部材はそれぞれ金属板材で打抜き成形され、各羽根部材の基端部にはスリーブ状の台座部材がカシメその他の結合手段で一体に結合され、この台座部材で前記第２の突起部を構成したことを特徴とする請求項１又は２に記載の光量調整装置。
【請求項４】
前記基盤には前記光路開口の口縁に前記第１、第２の羽根部材の先端を支持する突起状フランジと、その第１、第２の羽根部材の中央部位を支持するガイド面とが設けられ、このフランジとガイド面は各々前記第１の羽根部材と摺接する支持面と前記第２の羽根部材と摺接する支持面とは光軸方向の高さ位置が異なる段差を有することを特徴とする請求項１乃至３の何れかに記載の光量調整装置。
【請求項５】
前記基盤には所定間隔を形成して平行に配置された押え板が設けられ、この押え板には前記第１及び第２の羽根部材の開閉運動を案内するリブ状突起部が設けられ、この第１の羽根部材を案内するリブ状突起部と前記第２の羽根部材を案内するリブ状突起部とは高さ位置が異なることを特徴とする請求項１乃至３の何れかに記載の光量調整装置。
【請求項６】
液晶パネルその他の像形成手段と、上記像形成手段に光を照射する光源と、上記像形成手段からの光を投射する投射手段と、を備えたプロジェクタ装置に搭載され、上記光源からの光を上記像形成手段の輝度変化に応じて光量調整する光量調整装置であって、
上記光量調整装置は、光路開口を有する基盤と、基端部を上記基盤に軸受け支持され先端部を上記光路開口に臨ませた第１、第２少なくとも２枚の羽根部材と、上記羽根部材を開閉駆動する駆動手段とを備え、
上記基盤に上記羽根部材を軸受け支持するに際し、上記基盤に基盤表面からボス状に突出する第１の突起部と上記羽根部材に羽根表面からボス状に突出する第２の突起部をそれぞれに設け、この第１及び第２の突起部を互いに接合して上記羽根部材の光軸方向高さ位置を規定すると共に上記第１及び第２の突起部の一方にピン状軸部材を他方にこの軸部材を嵌合支持する軸受孔を形成し、
上記第１の羽根部材の高さ位置を規定する上記第１及び第２の突起部の高さ位置と、上記第２の羽根部材の高さ位置を規定する上記第１及び第２の突起部の高さ位置を高低異ならせたことを特徴とするプロジェクタ用光量調整装置。
【請求項７】
前記光量調整装置は、前記投射手段を構成するレンズユニットに互いに間隔を隔てて配置した第１、第２の光量規制手段から構成され、第１の光量規制手段は投影光路内に配置され所定の光量規制開口を有する基盤で構成され、第２の光量規制手段は請求項１に記載の光量調整装置で構成されていることを特徴とする請求項６に記載のプロジェクタ用光量調整装置。
【発明の詳細な説明】
【技術分野】
【０００１】
本発明はカメラなどの撮像装置、プロジェクタなどの投映装置における光量調整装置に係わり、光路中の光量を大小調整する絞り装置或いは光量を遮蔽するシャッタ装置などの光量調整装置及びこれを用いたプロジェクタ装置用光量調整装置に関する。
【背景技術】
【０００２】
一般にこの種の光量調整装置は撮像レンズ或いは投映レンズなどの鏡筒に組込まれ、使用環境に応じて光量を調節するものとして広く知られている。従来かかる装置の構造は、光路形成する開口を設けた基盤（地板）に１枚或いは複数枚の羽根を組込み、この羽根を駆動モータで開閉することによってシャッタ動作或いは光量の絞り動作を行っている。このような光量調整装置は例えば特許文献１（特開２００３−５７７１５号）に開示されているように合成樹脂などで形成した地板に複数の羽根の基端部を地板に形成した軸ピンに嵌合支持し、この羽根を開口の周囲に所定の間隔で複数配置し、各羽根部材を同一量回転させることによって羽根先端部が開口を大小に絞り、或いは遮閉するようになっている。そして地板上には押え板をカバー状に取付けて、この地板と押え板との間に羽根部材を開閉動自在に配置している。
【特許文献１】特開２００３−０５７７１５号公報
【発明の開示】
【発明が解決しようとする課題】
【０００３】
上述のように光路開口を形成した地板に複数の羽根部材を鱗状に重ね合わせて開閉動する場合に従来は第１の羽根の上に第２の羽根を順次積み上げて最上部に押え板を重ねる構造が採用されている。この為、上下に重ね合わされた羽根が相互に干渉して動作不良に陥ることが多く、特に羽根が温度或いは外部の衝撃で歪むと羽根同士が噛み合って動作不能となる。また羽根相互の摩擦で円滑な開閉動作が得られない問題があった。
【０００４】
そこで前揚特許文献１に開示されているように地板に第１の羽根を支持するリブ状突起を第２の羽根を支持するリブ状突起を設け、この２つの突起の内に羽根の厚さに相当する高低差を設けることが知られている。しかしこのように羽根を支持する地板に羽根相互の干渉（摩擦）を軽減する突起を設けても更に次の問題が生ずる。例えば羽根部材を温度変化その他経時的変化の少ない金属薄板を使用する場合、羽根自体の質量が大きく高速で開閉動しようとすると羽根方向と直交する上下に踊る（上下に振動で振れる）ため動作が不安定で動作音が騒音として生じたり、動作不良を招いたりすることがある。
【０００５】
本発明は上述の羽根相互の運動に鑑み、上下に重ね合わせた複数の羽根が互いに干渉して動作不能に陥ったり、開閉時に動作音が騒音として発生したりすることがなく、開閉時の摩擦負荷も小さい光量調整装置の提供をその主な課題としている。
【課題を解決するための手段】
【０００６】
上記課題を達成するため本発明は次の構成を採用したものである。まず請求項１の発明は、撮影光若しくは投影光の光路開口を有する基盤と、基端部を上記基盤に軸受け支持され先端部を上記光路開口に臨ませた第１、第２少なくとも２枚の羽根部材と、上記羽根部材を開閉駆動する駆動手段とを設ける。このような光量調整装置の構成において、基盤に羽根部材を軸受け支持するに際し、上記基盤に基盤表面からボス状に突出する第１の突起部と上記羽根部材に羽根表面からボス状に突出する第２の突起部をそれぞれに設ける。そしてこの第１及び第２の突起部を互いに接合して上記羽根部材の光軸方向高さ位置を規定する。同時に第１及び第２の突起部の一方にピン状軸部材を他方にこの軸部材を嵌合支持する軸受孔を形成し、基盤上に羽根部材を開閉自在に軸受け支持する。
【０００７】
また、上記第１の羽根部材の高さ位置を規定する上記第１及び第２の突起部の高さ位置と、上記第２の羽根部材の高さ位置を規定する上記第１及び第２の突起部の高さ位置を高低異ならせる。この高低差は羽根部材の厚さを基準に設定する。このように構成することによって、各羽根部材は基端部の軸承部にボス状突起部が形成されその質量は基端部が大きくなり、この基端部を中心に開閉動するため安定した運動が期待できる。
【０００８】
また請求項２の発明は、請求項１の構成において、前記第１、第２の羽根部材は光路開口に臨む先端部が光軸方向に上下重なり合うように基盤に配置され、前記各羽根部材の高さ位置を規定する前記第１及び第２の突起部の光軸方向高さは羽根部材の厚さと略々一致する高低差にしたものである。
【０００９】
次に請求項３の発明は、請求項１の構成において前記複数の羽根部材をそれぞれ金属板材で打抜き成形（プレス成形）し、各羽根部材の基端部にはスリーブ状の台座部材がカシメその他の結合手段で一体に結合することによってこの台座部材で前記第２の突起部を構成する。羽根部材の製作が容易であり、また台座部材から構成される突起部の質量バランス、摩耗などの耐久性を適切な条件で形成することが出来る。
【００１０】
更に、請求項４の発明は、前記基盤には前記光路開口の口縁に前記第１、第２の羽根部材の先端を支持する突起状フランジが設けられ、このフランジは前記第１の羽根部材と摺接する支持面と前記第２の羽根部材と摺接する支持面とは光軸方向の高さ位置が異なる段差を設ける。これによって羽根部材は基端部を前記突起部で、先端部を開口フランジに形成した段差で確実に支持され重なり合う羽根同士が干渉することがない。
【００１１】
次に請求項５の発明は、請求項１乃至３の構成において、前記基盤には所定間隔を形成して平行に配置された押え板を設け、この押え板には前記第１及び第２の羽根部材の開閉運動を案内するリブ状突起部を設ける。そしてこの第１の羽根部材を案内するリブ状突起部と上記第２の羽根部材を案内するリブ状突起部とは高さ位置が異なるように形成する。
【００１２】
次に請求項６の発明は、プロジェクタ装置に係わり、液晶パネルその他の像形成手段と、上記造形性手段に光を照射する光源と、上記像形成手段からの光を投射する投射手段とを備える。このような構成において上記投射手段は上記像形成部からの光をスクリーン上に投影するレンズユニットと、このレンズユニットに組み込まれた光量調整装置とから構成する。そしてこの光量調整装置は光路開口を有する基盤と、基端部を上記基盤に軸受け支持され先端部を上記光路開口に臨ませた第１、第２少なくとも２枚の羽根部材と、上記羽根部材を開閉駆動する駆動手段とを設ける。
【００１３】
そして、上記基盤に上記羽根部材を軸受け支持するに際し、上記基盤に基盤表面からボス状に突出する第１の突起部と上記羽根部材に羽根表面からボス状に突出する第２の突起部をそれぞれに設け、この第１及び第２の突起部を互いに接合して上記羽根部材の光軸方向高さ位置を規定すると共に上記第１及び第２の突起部の一方にピン状軸部材を他方にこの軸部材を嵌合支持する軸受孔を形成する。そこで第１の羽根部材の高さ位置を規定する上記第１及び第２の突起部の高さ位置と、上記第２の羽根部材の高さ位置を規定する上記第１及び第２の突起部の高さ位置を高低異ならせる。
【００１４】
前記光量調整装置は、前記レンズユニットに互いに間隔を隔てて配置した第１、第２の光量規制手段から構成する。この第１の光量規制手段は投影光路内に配置され所定の光量規制開口を有する基盤で構成し、第２の光量規制手段は請求項１に記載の光量調整装置で構成する。
【発明の効果】
【００１５】
本発明は、基盤に形成した光路開口の周囲に第１，第２複数の羽根部材を開閉自在に配置するに際し、基盤にその表面からボス状に突出する第１の突起部と羽根部材にその羽根表面からボス状に突出する第２の突起部を設け、この第１と第２の突起部を互いに接合して羽根部材の光軸方向高さ位置を規定すると同時に第１の羽根部材の高さ位置を規定する第１及び第２の突起部の高さ位置と、第２の羽根部材の高さ位置を規定する第１及び第２の突起部の高さ位置を高低異ならせたものであるから次の効果を奏する。
【００１６】
まず互いに重なり合う第１及び第２の羽根部材は基盤上に支持される高さ位置が第１の羽根部材と第２の羽根部材で異なり、その高さ位置を羽根の厚さに相当する高低差に形成することによって上下重なり合う羽根が干渉することがない。特にこの干渉を防止する高低差を羽根部材の軸承部にリブ状に突出した突起部で形成したから羽根基端部の質量が大きく安定した開閉動作が得られる。
【００１７】
従って従来の基盤に形成したリブに高低差を設けて羽根を案内する場合には羽根が回動方向と直交する方向にフレて振動するのに対し、斯かる不具合を生ずることなく羽根を高速に回へ移動することが出来る。また、羽根相互の干渉と同様に羽根同士の摩擦による動作音から騒音を招くことがない。
【発明を実施するための最良の形態】
【００１８】
以下図示の好適な実施の形態に基づいて本発明を詳述する。図１は本発明を採用した光量調節装置Ｅの組立分解斜視図である。図１に示すように撮影光路或いは投映光路などに組込まれる光量調整装置Ｅは、装置フレームを構成する基盤（以下地板という）１と、この地板１に形成された光路開口２と、この光路開口２に配置された複数の羽根部材３（３ａ，３ｂ，３ｃ）と、この羽根部材３を開閉動する駆動モータＭと、この駆動モータＭの回転を各羽根部材３に伝達する伝動リング４と、押え板５とから構成する。
【００１９】
地板１は円形或いは四角形などの偏平部材で構成され、図示のものは耐熱性の合成樹脂、例えばＬＣＰ（液晶ポリマー：Ｌｉｑｕｉｄ  Ｃｒｙｓｔａｌ  Ｐｏｌｙｍｅｒ）樹脂やＰＰＳ（ポリフェニレンサルファイド：Ｐｏｌｙｐｈｎｙｌｅｎｅ  Ｓｕｌｆｉｄｅ）樹脂で適宜形状にモールド成形（射出成形）で製作してある。この地板１には適宜その中央部に光路開口２が形成してあり、この光路開口２は略々撮影光路など光軸Ｘ−Ｘを中心に所定の大きさで形成する。そして光路開口２の周囲には開口フランジ２１が形成してあり、本発明はこの開口フランジ２１を後述のように複数の羽根部材３を支持するように段差形状に構成したことを特徴としている。
【００２０】
光路開口２を形成したリング状の地板１には開口フランジ２１の外周に伝動リング４を嵌合支持する突起状２２と駆動モータＭを取付ける駆動取付部２３と羽根軸支部２４（２４ａ、２４ｂ、２４ｃ）がモールド成形で一体に形成されている。突起状２２は図１に示すように３箇所に形成され、後述する伝動リング４に形成した凹溝と嵌合して、伝動リング４を所定角度回動自在に支持する。従って光軸Ｘ−Ｘを中心に伝動リング４が旋回動するようになる。
【００２１】
駆動モータＭは通常良く知られている電磁モータの構造、或いは電磁ソレノイドの構造が採用可能である。この駆動モータＭの一例を図示構造について説明すると、樹脂製の地板１には円環状のコイル枠Ｍ１が一体形成或いは別加工で形成され、このコイル枠Ｍ１の内側に円筒状のマグネットＭ２が嵌合され、このマグネットＭ２と一体の回転軸Ｍ４でロータが形成されている。そしてコイル枠Ｍ１にはステムＭ５が一体に設けられ、このステムＭ５に回転軸Ｍ４を軸支する基盤プレートＭ６が固定されている。尚この基盤プレートＭ６には回路基盤が配設されている。
【００２２】
そして回転軸Ｍ４の両端（図示上下端）をコイル枠Ｍ１の底部（地板）と基盤プレートＭ６に回動自在に軸支し、コイル枠Ｍ１の外周にコイルを巻回して駆動モータＭを地板１に一体に組込んで構成している。図示Ｍ７はヨークでコイルを巻回したコイル枠Ｍ１の外周を覆っている。このように構成されたロータには回転軸Ｍ４と一体に伝動アームＭ８が設けられ、この伝動アームＭ８の伝動ピンＭ９が伝動リング４に形成したスリット溝４１に嵌合してあり、回転軸Ｍ４の回転で伝動リング４を光軸Ｘ−Ｘを中心に回動するように伝動機構が構成されている。
【００２３】
次に羽根部材３（３ａ，３ｂ，３ｃ）について説明すると、羽根部材３は複数枚、例えば３枚、５枚或いは７枚の羽根で構成され、図示のものは３枚構成の羽根部材３ａ，３ｂ，３ｃを光路開口２の周囲に等間隔に配置している。そして各羽根部材３は基端部を地板１に軸受け支持され、先端部は光路開口２に臨ませてある。
【００２４】
図示の羽根部材３はＳＫ材などの金属薄板をプレス加工で所定の形状に打抜き成形され、表面には光の反射を防止し、摺動性を高める為に滑性物質とバインド物質を混合した有機結合型の黒色系皮膜でコーティングしてある。このように羽根部材３を金属薄板で構成したのは環境温度が高温下で羽根が歪むのを防止し、同時に高速開閉に耐える為である。
【００２５】
そこで本発明はこのような羽根部材３を地板１に以下のように軸承したことを特徴としている。まず地板１には各羽根部材３ａ，３ｂ，３ｃを支持するボス状突起２４（前述の羽根軸支部）が光路開口２の周囲３ヶ所に形成してある。このボス状突起（第１の突起部）２４ａ，２４ｂ，２４ｃが地板１に形成されている。また各羽根部材３ａ，３ｂ，３ｃには羽根表面から突出するボス状突起（第２の突起部）３１ａ，３１ｂ，３１ｃが設けてある。この第１及び第２の突起部２４、３１は互いに係合する接合面を備えている。
【００２６】
つまり地板１側に地板表面から突出した第１の突起部２４ａ，２４ｂ，２４ｃと羽根部材３側に羽根表面から突出した第２の突起部３１ａ，３１ｂ，３１ｃとが互いに接合（当接）して羽根部材３の光軸方向の高さ位置を規定している。図示の羽根部材３に形成する第２の突起部３１ａ，３１ｂ，３１ｃは前述のプレス加工で成形した羽根部材３にスリーブ状（筒状）の台座部材をカシメ加工で一体に取付けて構成してある。そしてこの羽根部材３のボス状突起（第２の突起部）３１ａ，３１ｂ，３１ｃには軸受孔３２ａ，３２ｂ，３２ｃが穿設してあり、地板１側のボス状突起（第１の突起部）２４ａ，２４ｂ，２４ｃには各軸受孔３２に適合するピン状軸部材２５ａ，２５ｂ，２５ｃが一体に設けてある。従って地板１のボス状突起（第１の突起部）２４と羽根部材３とは軸受孔３２とピン状軸部材２５とが互いに嵌合して羽根部材３を回動自在に軸支持することとなる。
【００２７】
この軸支構造を図７に基づいて説明すると、地板１には光路開口２の周方向に等間隔で３ヶ所にボス状突起（第１の突起部）２４ａ，２４ｂ，２４ｃが形成され光路開口２の平面を形成する地板表面から突起部２４ａがＨ１、突起部２４ｂがＨ２、突起部２４ｃがＨ３の高さにそれぞれ形成されている。そして羽根の厚さをｄとするとき、Ｈ３≧Ｈ２＋ｄ，Ｈ２≧Ｈ１＋ｄの関係にしてある。つまり最も低い高さ位置に突起部２４ａが形成され、この突起部２４ａより羽根の厚さｄより高い位置に突起部２４ｂが、更にこれより羽根の厚さｄだけ高い位置に突起部２４ｃが形成される。
【００２８】
そして後述する押え板５にもリブ状突起部５１ａ，５１ｂ，５１ｃが設けられ表面からの図示高さＨ４、Ｈ５、Ｈ６（図６−２（ｄ）乃至（ｆ）参照）が略々Ｈ４≧Ｈ５＋ｄ，Ｈ５≧Ｈ６＋ｄ（ｄは羽根の厚さ）の関係となるようにプレス加工で一体成形してある。従って地板１と押え板５との間隔（Ｌ）に対し、地板１に形成する突起部２４ａの高さＨ１、同２４ｂの高さＨ２、同２４ｃの高さＨ３を羽根の厚さｄを基準に高低高さ位置を異ならせ、同時に押え板５側にリブ状突起部５１ａ，５１ｂ，５１ｃを設け、この高さＨ４、Ｈ５、Ｈ６は高低差が逆となるように設定してある。
【００２９】
以上図示実施例では地板１に形成するボス状突起（第１の突起部）２４ａ，２４ｂ，２４ｃの高さ位置を高低異ならせ、羽根部材３側に形成するボス状突起（第２の突起部）３１ａ，３１ｂ，３１ｃの高さ位置を同一に形成した場合を説明した。これに対し、地板１側に形成するボス状突起（第１の突起部）２４ａ，２４ｂ，２４ｃの高さを等しく、（図示Ｈ１＝Ｈ２＝Ｈ３）形成し、羽根部材３に形成する突起部の高さを（突起部３１ａの高さ）≦（突起部３１ｂの高さ）＋ｄ≦（突起部３１ｃの高さ）＋ｄに設定しても同効の結果が得られる。
【００３０】
以上の構成により３枚構成の羽根部材３は地板１に第１の羽根部材３ａが高さ位置（Ｈ１＋羽根部材のボス状突起の高さ）に、そして第２の羽根部材３ｂが高さ位置（Ｈ２＋羽根部材のボス状突起の高さ）に、さらに第３の羽根部材３ｃが高さ位置（Ｈ３＋羽根部材のボス状突起の高さ）にそれぞれ軸承される。従って、第１乃至第３の羽根部材３ａ〜３ｃは地板１上に羽根の厚さｄに相当する高低差で重ね合わせられることとなり羽根相互が干渉することがない。
【００３１】
以上説明したように基端部を地板１に羽根の厚さを相当する高低差で軸受け支持した複数の羽根部材３は先端部側を次のように支持される。まず複数の羽根部材３相互の関係において図１に示すように第１の羽根部材３ａの先端部はその開閉全域で第２の羽根部材３ｂの基端部の上側に位置するように重ね合わせられ、同様に第２の羽根部材３ｂの先端部は第３の羽根部材３ｃの基端部の下側に位置し、第３の羽根部材３ｃの先端部は第１の羽根部材３ａの基端部の上側に位置するように組み合わせられている。
【００３２】
従って、第１乃至第３の羽根部材３ａ，３ｂ，３ｃは光路開口２の開閉全域において重ね合わせ順位が狂わないように、第１の羽根部材３ａの上に第２の羽根部材３ｂ、そしてその上に第３の羽根部材３ｃが位置するように規制されている。
【００３３】
次に、光路開口２には前述のように光軸方向に隆起した開口フランジ２１が設けられているが、この開口フランジ２１は図１、図６−１及び図６−２に示すように周方向に段差が形成されている。この段差は図３に示すように第１の羽根部材３ａの開閉領域（羽根の全開から全閉の移動領域；以下同様）でこの羽根先端部を摺動案内するガイド面２１ａと、第２の羽根部材３ｂの開閉領域で摺動案内するガイド面２１ｂと、第３の羽根部材３ｃの開閉領域で摺動案内するガイド面２１ｃとを形成している。そしてガイド面２１ａの光軸方向高さよりガイド面２１ｂは羽根の厚さ（ｄ）だけ高く、更にガイド面２１ｃはガイド面２１ｂより高くなるように段差が形成してある。
【００３４】
更に各羽根部材３は、伝動リング４と次のように係合している。伝動リング４は地板１に形成した突起状２２に嵌合支持され光軸Ｘ−Ｘを中心に回動自在に支持され、その一端には駆動モータＭの伝動ピンＭ９が嵌合するスリット溝４１が設けられている。そして伝動リング４には各羽根部材３ａ，３ｂ，３ｃに対応する傾斜スリット溝４２ａ，４２ｂ，４２ｃ（図４参照）が形成されている。
【００３５】
羽根部材３ａ，３ｂ，３ｃには図示中央部にピン３５ａ，３５ｂ，３５ｃが植設してあり、各ピン３５は基部にフランジ状の段差面３５°が設けてある。そして傾斜スリット溝４２ａ，４２ｂ，４２ｃにはこのピンの段差面３５°が係合するフランジが形成してある。特に羽根部材３ａのピン３５ａが係合するスリット溝４２ａのフランジ部の高さはボス状突起部２４ａと同一の高さＨ１に、羽根部材３ｂのピン３５ｂが係合するスリット溝４２ｂのフランジ部の高さはボス状突起部２４ｂと同一の高さＨ２に、羽根部材３ｃのピン３５ｃが係合するスリット溝４２ｃのフランジ部の高さはボス状突起部２４ｃと同一の高さＨ３にそれぞれ形成してある。
【００３６】
従って第１乃至第３の羽根部材３ａ，３ｂ，３ｃはそれぞれ基端部を地板１に形成したボス状突起（第１の突起部）２４とスリット溝４２と、光路開口２の開口フランジ２１に同一高さ位置で支持されることとなる。
【００３７】
また前述の押え板５には開閉域に各羽根部材３を支持するリブ状突起５１ａ，５１ｂ，５１ｃが形成してある。このリブ状突起５１は図６−１及び図６−２に示すように高さ位置が規定してある。リブ状突起５１ａは図６−２（ｄ）に示すように、第１の羽根部材３ａをその開閉領域で、地板１との間で支持するようにＨ４の高さにしてある。図示のものは作図上羽根表面と離間しているが、これは当接するか若しくは少許の間隙を形成することが望ましい。同図（ｅ）は第２の羽根部材３ｂの開閉領域に形成されリブ５１ｂの高さＨ５を示し、羽根表面との間隙は前述と同様である。図示（ｆ）は第３の羽根部材３ｃの開閉領域に形成された領域５１ｃを示し図示高さＨ６に形成され羽根表面との間隙は前述と同様である。以上から明らかなようにＨ４＞Ｈ５＞Ｈ６でその寸法差は羽根部材の厚さと略同一に設定されている。
【００３８】
次に上述の各構成の組立順序を図１に基づいて説明する。地板１には光路開口２と開口フランジ２１とボス状突起（第１の突起部）２４ａ，２４ｂ，２４ｃと、駆動モータＭのコイル枠Ｍ１が一体に形成してある。この地板１には適宜数、図示のものは３ヶ所に取付けステムＭ５が植設してあり、このステムＭ５に後述する押え板５がビスなどで固定される。そしてこの地板１に形成した突起状２２に伝動リング４が回動自在に嵌合支持され、この伝動リング４上に羽根部材３が組込まれる。
【００３９】
各羽根部材３ａ，３ｂ，３ｃは基端部を地板１に形成したボス状突起（第１の突起部）２４ａ，２４ｂ，２４ｃに支持し、この羽根部材３ａ，３ｂ，３ｃに植設したピン３５ａ，３５ｂ，３５ｃを伝動リング４のスリット溝４２ａ，４２ｂ，４２ｃに、そして羽根部材３ａ，３ｂ，３ｃの先端部を開口フランジ２１のガイド面２１ａ，２１ｂ，２１ｃにそれぞれ載置して支持する。そして押え板５を地板１に設けたステムＭ５にビスなどで固定する。このように支持された第１乃至第３の羽根部材３ａ，３ｂ，３ｃは基端部と中央部と先端部とをそれぞれ光軸方向Ｘ−Ｘの高さ位置が異なるようにボス状突起（第１の突起部）２４とスリット溝４２のフランジと開口フランジ２１に支持される。
【００４０】
（実施例の変形）
次に図８に示す光量調整装置は羽根相互の重なり順序を図９で示すように羽根の傾斜によって維持するようにしたものである。前述のものと同様に光路開口を有する基盤６５に４枚の羽根部材６０ａ，６０ｂ，６０ｃ，６０ｄを等間隔に配置し、この基盤６５には伝動リング６３が回動自在に組込んである。そして各羽根部材６０の基端部には係合スリット６２ａ，６２ｂ，６２ｃ，６２ｄが形成してあり、この係合スリット６２ａ，６２ｂ，６２ｃ，６２ｄに伝動リング６３に形成した伝動ピン６６ａ，６６ｂ，６６ｃ，６６ｄが嵌合してある。
【００４１】
そして羽根部材６０ａ，６０ｂ，６０ｃ，６０ｄは基盤６５に植設した軸ピン６１ａ，６１ｂ，６１ｃ，６１ｄで回動自在に軸支してある。そこで各羽根部材６０は伝動リング６３の伝動ピン６６ａ，６６ｂ，６６ｃ，６６ｄと基盤６５の軸ピン６１とで所定角度傾斜するように支持し、基盤の突起部に高低差Δを設けた。このように羽根部材６０を所定角度傾斜させると共に高低差を設けることによって互いに重なり合う羽根部材の先端部は少許の間隙が形成され、多少変形しても干渉することがない。つまり基盤６５に配置された羽根部材６０の先端部が隣設する羽根部材６０の基端部の上に重なり合うように配置されている為、各羽根部材６０を傾斜させることによって重なり合う部位は上下に規制され開閉動作で干渉することがない。
【００４２】
次に上述の光量調整装置を用いたプロジェクタ装置の構成を図１０に基づいて説明する。ケーシング内に光源部と、この光源からの光をＲＧＢ３原色に分光する分光部と、画像データ部からの信号に基づいて画像を形成する画像形成部と、上記分光部から画像形成部に照射した光を投光する投光部とから構成されたプロジェクタ装置及び上記ケーシングに内蔵され上記光源と分光部との間に配置された光量調整装置から構成される。
【００４３】
上記各構成について説明する。プロジェクタへの画像入力の方法としてはＲＧＢ信号、コンポーネント信号、ハイビジョン信号、ビデオ信号等があり、ＲＧＢ信号は例えばコンピュータの画像出力端子からプロジェクタに信号を送る場合であり、コンポーネント信号はＤＶＤプレーヤ、ハイビジョン信号はハイビジョンテレビなどのチューナ、ビデオ信号はビデオデッキなどの出力端子とプロジェクタ装置とを接続する。そしてこのようなプロジェクタ装置は種々のものが知られているがその一例として図１０に画像形成部（画像形成手段）として液晶パネルを用いた場合のレイアウト構成を示す。
【００４４】
図１０に示すＰはプロジェクタ、Ｓは画像を投影する為のスクリーンである。プロジェクタＰには投写のための光源７１が備えられ、メタルハイライドランプ、高圧水銀ランプ、ＮＳＨランプ、キセノンランプ、ＶＩＰランプ等の光源ランプが適用される。そして光源７１から射出された光は対物面の反射鏡７２によって集光され、インテグレータレンズ７３、７４でほぼ平行光とし斑の少ない光に変換する。
【００４５】
この光は液晶パネル８への集光効率と周辺光量比を改善するインテグレータレンズ７４を通過し、反射ミラー１２ａによりほぼ直角に折り曲げられる。この光は分光ミラーによってＲ、Ｇ、Ｂ三原色に分岐されるが、まずＧ光とＲ光を透過させＢ光のみを反射させる特性を持ったダイクロイックミラー１０ａにより反射分離されたＢ光は、さらに反射ミラー１２ｂを介して集光レンズ７５ａに導かれ平行光に集光されて液晶パネル８ａを透過しＢ光の画像として合成プリズム１１に至るように構成されている。
【００４６】
また、１段目のダイクロイックミラー１０ａを透過したＧ光とＲ光は、Ｒ光を透過させＧ光を反射させる特性を持った２段目のダイクロイックミラー１０ｂにより反射分離されたＧ光は、集光レンズ７５ｂで平行光に集光され液晶パネル８ｂを透過しＧ光の画像として合成プリズム１１に至る。
【００４７】
さらに２段目のダイクロイックミラー１０ｂを透過したＲ光は、２枚の反射ミラー１２ｃ、１２ｄを介して集光レンズ７５ｃに導かれ平行光に集光されて液晶パネル８ｃを透過しＲ光の画像として合成プリズム１１に至る。そこで合成プリズム１１にはＲ、Ｇ、Ｂ三原色が１つに合成されカラー画像として投影レンズ９に導かれ、この投影レンズ９で適宜拡大され前方のスクリーンＳに投写される。
【００４８】
そこでこのような構成のプロジェクタ装置に前述の光量調整装置を次のように組み込む。前述の投影レンズ９は通常複数のレンズをレンズ鏡筒に組み込んだレンズユニットで構成される。そこでこのレンズユニットに光量調整装置Ｅを組み込む。図示のものはこの投影レンズ９の光軸方向に第１、第２の２つの光量規制手段を距離を隔てて配置してある。そしてこの第１の光量規制手段７は投影光路内に配置され所定の光量規制開口を有する基盤で構成し、第２の光量規制手段は上述の図１で説明した装置構成にする。
【００４９】
また、図１１及び図１２で示す様に、第１の光量規制手段としての固定絞り板７は光学レンズユニットの開放径を調整するためのもので、この固定絞り板７は図１２で示す様に光量調整装置Ｅの地板１に対し所定の間隔を隔て取付けられ、また図１０で示すように投影レンズ９内部のレンズ光学設計上の適宜位置に配置されている。
【００５０】
そして、この第１の光量規制手段７が地板１に対し所定の間隔を隔てて取付けられることで、地板１と第１の光量規制手段７との間にスペースが出来、このスペースを使うことで複数の羽根部材３同士を適宜な間隔を隔て配置可能となり、先に説明したような本願の光量調整装置Ｅを得ることが容易に出来る。また、第１の光量規制手段としての固定絞り板７を光量調整装置Ｅの地板１に取付けたことにより、固定絞り板７と地板１との位置関係が正確に決められ、正しい位置で光量を適正に調整することが出来る。
【図面の簡単な説明】
【００５１】
【図１】図１は本発明を採用した光量調節装置の組立分解斜視図。
【図２】図１の羽根部材の構成図。
【図３】図１の装置の基盤を示す平面図。
【図４】図１の装置の伝動リングを示す平面図。
【図５】図１の装置の押え板を示す平面図。
【図６−１】図１の装置の羽根部材と伝動リングとの結合状態を示す説明図であり、（ａ）は第１の羽根部材の状態図、（ｂ）は第２の羽根部材の状態図、（ｃ）は第３の羽根部材の状態図を示す。
【図６−２】図１の装置の羽根部材と伝動リングとの結合状態を示す説明図であり、（ｄ）は図６−１（ａ）と異なる断面の状態図、（ｅ）は図６−１（ｂ）と異なる断面の状態図、（ｆ）は図６−１（ｃ）と異なる断面の状態図を示す。
【図７】図１の装置の羽根部材と基盤の接合状態の断面図であり、（ａ）が第１の羽根部材の状態図、（ｂ）が第２の羽根部材の状態図、（ｃ）が第３の羽根部材の状態図を示す。
【図８】図１の装置と異なる形態の光量調整装置を示し、羽根部材の構成を示す平面図。
【図９】図８の装置における羽根部材の支持構造を示す断面図。
【図１０】図１の装置を組み込んだプロジェクタ装置の構成図
【図１１】図１０の装置に組み込んだ固定絞り装置（第１の光量規制手段）の平面図。
【図１２】図１０の装置における光量調整部の要部断面図。
【符号の説明】
【００５２】
１  基盤
２  光路開口
３（３ａ、３ｂ、３ｃ）  羽根部材
４  伝動リング
５  押え板
７  固定絞り板（第１の光量規制手段）
２１  開口フランジ
２１ａ，２１ｂ，２１ｃ  ガイド面
２２  突起状
２４ａ、２４ｂ、２４ｃ  ボス状突起（第１の突起部）
２５ａ、２５ｂ、２５ｃ  ピン状軸部材
３１ａ、３１ｂ、３１ｃ  ボス状突起（第２の突起部）
３２ａ、３２ｂ、３２ｃ  軸受孔
３５ａ、３５ｂ、３５ｃ  ピン
４２ａ、４２ｂ、４２ｃ  傾斜スリット溝
５１ａ、５１ｂ、５１ｃ  リブ状突起部
Ｍ  駆動モータ
【図１】
2006337947.tif 000003
【図２】
2006337947.tif 000004
【図３】
2006337947.tif 000005
【図４】
2006337947.tif 000006
【図５】
2006337947.tif 000007
【図６−１】
2006337947.tif 000008
【図６−２】
2006337947.tif 000009
【図７】
2006337947.tif 000010
【図８】
2006337947.tif 000011
【図９】
2006337947.tif 000012
【図１０】
2006337947.tif 000013
【図１１】
2006337947.tif 000014
【図１２】
2006337947.tif 000015